(57)【特許請求の範囲】
【請求項１】
粘着剤が塗布された粘着部または粘着テープを巻きつけられた粘着部を、塵・ホコリ除去対象物に押し当て移動することによって、対象物に付着した塵・ホコリを除去する除電器付き粘着クリーナーにおいて、粘着クリーナーの柄、または柄に設けた補助部材に、無風でイオンを、対象物を含む範囲に送達する除電器を取付けたことを特徴とする除電器付き粘着クリーナー。
【請求項２】
請求項１記載の除電器付き粘着クリーナーにおいて、粘着剤が塗布された粘着部または粘着テープを巻きつけられた粘着部を有する回転ローラを備えていることを特徴とする除電器付き粘着クリーナー。
【請求項３】
請求項１または２のいずれか1つに記載の除電器付き粘着クリーナーにおいて、除電器が、ポータブルなバッテリー駆動式であることを特徴とする除電器付き粘着クリーナー。
【請求項４】
請求項１〜３のいずれか1つに記載の除電器付き粘着クリーナーにおいて、除電器が、ＤＣ型、またはパルス型であることを特徴とする除電器付き粘着クリーナー。
【請求項５】
請求項１〜４のいずれか1つに記載の除電器付き粘着クリーナーにおいて、操作する人が触れる取手に電極を設け、その電極と除電器のアースを、電気的に接続したことを特徴とする除電器付き粘着クリーナー。
【請求項６】
請求項１〜５のいずれか1つに記載の除電器付き粘着クリーナーにおいて、除電器が脱着可能であることを特徴とする除電器付き粘着クリーナー。
【請求項７】
請求項１〜６のいずれか1つに記載の除電器付き粘着クリーナーにおいて、除電器は、対象物の清掃完了面側に近接するように配置され、清掃完了面にイオンを放射することを特徴とする除電器付き粘着クリーナー。
【発明の詳細な説明】
【技術分野】
【０００１】
本発明は除電器付き粘着クリーナーに関する。
【背景技術】
【０００２】
対象物（例えばワークや人体）の除塵を行うために、粘着剤が塗布されたクリーナーを対象物に押し当て回転することによって、対象物に付着した塵・ホコリを除去する粘着クリーナーが使われていた。
【０００３】
そのような粘着クリーナーの従来例の１つを図５を参照して説明する（特開平８−２４２０６号公報参照）。図５ａ、図５ｂにおいて、ホコリ５０等を除去する対象物が平面１２０の場合、粘着クリーナー１００は対象物の表面に接触して手前に引っ張られる。粘着クリーナー１００は、回転軸を持った柄（支持体）１１２と、その柄に回転可能に支持された回転ローラ１１０からなり、回転ローラ１１０は表面に粘着剤が塗付されたテープ（好ましくは交換可能）が巻かれている。粘着クリーナーは柄の後端を手で把持され、手前に引っ張られる。そのとき、対象物の表面のホコリ等は粘着剤または粘着テープに粘着され、対象物の表面から除去される。なお、図示の簡略化のために、回転ローラに粘着されたホコリ等は図示していない。しかし、対象物の表面と回転ローラ（粘着テープ）の接触、摩擦、剥離により、対象物表面と回転ローラの間で静電気が発生し、一方が＋にもう一方が−帯電することになる。図５の例では、対象物が＋に帯電した例で図示している。この結果、周囲のホコリを引き寄せてしまい、ホコリの蓄積を急速に再び生じさせることになる。
【０００４】
図５ｃは人体に付着したホコリ等の異物を除去するために粘着クリーナーを使用する状況を示すものであり、人１１６は、手１１４に粘着クリーナー１００を持って防塵服の表面に付着したホコリ等を除去する。この場合も、前述と同様に、除去後の防塵服の表面には静電気が帯電することになる。
【０００５】
次に、粘着クリーナーの他の従来例を図６を参照して説明する。図６ａ、図６ｂにおいて、粘着クリーナー２００は、１本のローラに代えて、２本のローラ１１０ａ，１１０ｂを備えており、その他の構成は前述の従来例と同様である。すなわち、柄１１２の回転軸の両端には直立部材１１８が取付けられており、直立部材１１８の下部には、対象物の表面と接触して回転する下側ローラ１１０ｂが設けられており、直立部材１１８の上部には、下側ローラ１１０ｂと接触して回転し、下側ローラ１１０ｂに付着したホコリ等を吸着して、下側ローラ１１０ｂからホコリ等を取り除く上側ローラ１１０ａが設けられている。上側ローラ１１０ａに使用されている粘着剤の粘着力は下側ローラ１１ｂに使用されている粘着剤の粘着力より大きいことが望ましい。この場合も、除塵後の対象物表面には静電気が発生することになる。なお、この従来例では対象物の表面が＋に帯電した例を示している。また、図示の簡略化のために、回転ローラに発生する−帯電は図示していない。
【先行技術文献】
【特許文献】
【０００６】
【特許文献１】特開平８−２４２０６号公報
【発明の概要】
【発明が解決しようとする課題】
【０００７】
しかし、せっかく除塵をしても、前述のように、対象物とローラ（粘着テープ）との接触、摩擦、剥離によって対象物表面が帯電し、周囲のホコリを引き寄せてしまう問題があった。
【課題を解決するための手段】
【０００８】
本発明は、粘着剤が塗布された粘着部または粘着テープを巻きつけられた粘着部を、塵・ホコリ除去対象物に押し当て移動することによって、対象物に付着した塵・ホコリを除去する粘着クリーナーにおいて、粘着クリーナー本体の外部に、塵・ホコリを除去した対象物に周囲から引き寄せられる塵・ホコリが付着するのを防止するために無風で対象物に達するイオンを発生する除電器を取付けたことを特徴とする除電器付き粘着クリーナーを採用するものである。
【発明の効果】
【０００９】
本発明によれば、ホコリ等の除去後の対象物表面に発生する静電気を除電器で即座に中和し、周囲のホコリを引き寄せてしまうことに起因するホコリの再付着を生じさせない除電器付き粘着クリーナーが得られる。
【図面の簡単な説明】
【００１０】
【図１】本発明の実施例１の除電器付き粘着クリーナーを示す図であり、図１ａは対象物が平面の場合の平面図であり、図１ｂはその側面図であり、図１ｃは対象物が人体の場合の使用状況を示す。
【図２】本発明の実施例２の２本ローラ式粘着クリーナーを示す図であり、図２ａはその平面図であり、図２ｂはその側面図である。
【図３】本発明の除電器付き粘着クリーナーにおける除電方式を示す図であり、図３ａはＤＣ除電方式を示す図であり、図３ｂはパルスタイプの除電方式を示す図である。
【図４】本発明の実施例３の除電器付き粘着クリーナーを示す図であり、図４ａはその平面図であり、図４ｂはその側面図である。
【図５】従来例の粘着クリーナーを示す図であり、図５ａはその平面図であり、図５ｂはその側面図であり、図５ｃは粘着クリーナーの人体への使用状況を示す図である。
【図６】他の従来例の２本ローラ式粘着クリーナーを示す図であり、図６ａはその平面図であり、図６ｂはその側面図である。
【発明を実施するための形態】
【００１１】
本発明の除電器付き粘着クリーナーは、粘着剤が塗布された粘着部または粘着テープを被覆された粘着部を、塵・ホコリ除去対象物に押し当て移動することによって、対象物に付着した塵・ホコリを除去する粘着クリーナーと、この粘着クリーナーに取付けられた除電器からなる。
【実施例１】
【００１２】
最初に、図１を参照して本発明の実施例１の除電器付き粘着クリーナーを説明する。図１ａ、図１ｂにおいて、ホコリ５０等を除去する対象物が平面２０の場合、除電器付き粘着クリーナー１０は対象物の表面に接触して手前に引っ張られる。除電器付き粘着クリーナー１０は、粘着クリーナー本体、すなわち、回転軸を持った柄（支持体）１４と、その柄に回転可能に支持された回転ローラ１２とからなり、さらに、柄１４のほぼ中間位置に取付け（または、着脱可能に取付け）られた除電器１６を備える。この除電器１６は、＋イオンおよび−イオンを発生させる放電針（図示せず）を有し、発生したイオンを広範囲に空中に噴射させる型式のものが望ましく、少なくともホコリ等の除去後の対象物表面にイオンを達することができるものである。回転ローラ１２の表面には粘着剤が塗付され、または粘着テープ（粘着シート）（好ましくは交換可能、または切り取り可能）が巻きつけられて粘着部を構成している。除電器付き粘着クリーナー１０は柄１４の後端を手２４で把持され、手前に引っ張られる。そのとき、対象物の表面のホコリ等は粘着剤または粘着テープに粘着され、対象物の表面から除去される。しかし、対象物の表面と回転ローラ（粘着テープ）の接触、摩擦、剥離により、除去後の表面には静電気が帯電することになる。しかし、本発明の場合、ホコリ等の除去後の対象物表面にはイオンが達するので、対象物表面に発生した静電気は除去される。この結果、周囲のホコリを引き寄せてしまうことに起因するホコリの再付着を生じさせることはない。
【００１３】
図１ｃは人体に付着したホコリ等の異物を除去するために除電器付き粘着クリーナーを使用する状況を示すものであり、人２２は、手２４に除電器付き粘着クリーナー１０を持って防塵服の表面に付着したホコリ等を除去する。この場合も、前述と同様に、除去後の防塵服の表面には静電気が帯電することになるが、本発明の場合、ホコリ等の除去後の対象物表面にはイオンが達するので、対象物表面に発生した静電気は除去される。
【００１４】
図１に示す実施例では、除電器付き粘着クリーナーが回転ローラ（ローラ型）を用いているものとして説明しているが、本発明はローラ型に限らない。また、柄に取付ける除電器は、無風でイオンを送達するタイプで、より広範囲にイオンを発生させられるパルス方式の除電器がより好ましい。その訳はホコリの巻き上げもなく、イオンの飛距離が長く、除電効率もアップするからである。さらに、取付けられる除電器は、作業性・携帯性の面で、ポータブルで、バッテリー駆動式のほうが望ましい。また、除電器は粘着クリーナーに脱着できる機構（図示せず）を備えていることが望ましい。そうすれば、手に持って使う携帯機器特有の落下事故でも容易に交換でき、メンテナンス性が良くなるからである。
【実施例２】
【００１５】
次に、本発明の実施例２の除電器付き粘着クリーナーを図２を参照して説明する。図２ａ、図２ｂにおいて、除電器付き粘着クリーナー３０は、１本のローラに代えて、２本のローラ１２ａ，１２ｂを備えており、その他の構成は前述の従来例と同様である。すなわち、除電器付き粘着クリーナー３０は、粘着クリーナー本体、すなわち、回転軸を持った柄（支持体）１４と、その柄に回転可能に支持された回転ローラ１２ａ、１２ｂとからなり、さらに柄１４のほぼ中間位置に取付け（または、着脱可能に取付け）られた除電器１６を備えている。柄１４の回転軸の両端には直立部材２６が取付けられており、直立部材２６の下部には、対象物の表面と接触して回転する下側ローラ１２ｂが設けられており、直立部材２６の上部には、下側ローラ１２ｂと接触して回転し、下側ローラ１２ｂに付着したホコリ等を吸着して、下側ローラ１２ｂからホコリ等を取り除く上側ローラ１２ａが設けられている。上側ローラ１２ａに使用されている粘着剤の粘着力は下側ローラ１２ｂに使用されている粘着剤の粘着力より大きいことが望ましい。この場合も、前述と同様に、除塵後の対象物の表面には静電気が帯電することになる。しかし、本発明の場合、ホコリ等の除去後の対象物表面にはイオンが達するので、対象物表面に発生した静電気は除去される。この結果、周囲のホコリを引き寄せてしまうことに起因するホコリの再付着を生じさせることはない。
【００１６】
次に、図３は本発明の除電器付き粘着クリーナーにおける除電の好ましい方式を示す。図３ａに示すＤＣ型または図３ｂに示すパルス型であれば、ファン（送風機）を用いなくてもイオン同士、イオンと放電針間の反発力で、イオンが広く遠くまで運ばれるので、無風で、より広範囲にイオンを発生させることができる。また、ファンが不要なためポータブルに構成でき、またバッテリー駆動式の場合、バッテリーの持ちもよい。また、除電器のアースは、図示しない配線により、除電器付き粘着クリーナーのフレーム、あるいは、人体、粘着クリーナーのフレームと人体に接続されていることが望ましい。その方がイオンがよく出るからである。その傾向はパルス型の場合に顕著である。アースを人体と接続する具体的な方法としては、操作する人が触れる取手またはフレームに電極を設け、その電極と除電器のアースを、電気的に接続する方法が考えられる。これは先に記載した実施例１、実施例２、後述する実施例３すべてに共通した内容である。
【実施例３】
【００１７】
次に、図４を参照して、本発明の実施例３の除電器付き粘着クリーナーを説明する。図４において、実施例３は、実施例１と除電器の取付け位置が異なり、その他の構成は同様である。すなわち、柄１４のほぼ中間位置から後方に（ホコリ除去側方向に）延びる補助部材１４ａが設けられており、その後端に除電器が取付けられている。除電器は、図示のように、ホコリ除去前およびホコリ除去後の対象物表面の上方の空間を含む広範囲にわたってイオンを噴射してもよく、またはホコリ除去後の対象物表面（清掃された面側）に向けてイオンを噴射してもよい。
【００１８】
また、ローラタイプの除電器付き粘着クリーナーの場合、粘着シートがロール状に巻かれ、定期的に汚れたシートを部分的に切って使用してもよい。ロール状に巻かれている場合には、粘着クリーナーの清掃方向が一方向に決まっている場合がある。そのような場合には、除電器付き粘着クリーナーによる清掃面がローラの片側に決まっているので、実施例３において説明したように、除電器を清掃された面側に設置した方が、より濃度の濃いイオンが清掃面を包み込むため、除電効率がよい
【符号の説明】
【００１９】
１０  除電器付き粘着クリーナー
１２  回転ローラ
１２ａ  上側ローラ
１２ｂ  下側ローラ
１４  柄
１６  除電器
１８  イオン
２０  平面
２４  手
２２  人
【図１】
0006007443.tif 000002
【図２】
0006007443.tif 000003
【図３】
0006007443.tif 000004
【図４】
0006007443.tif 000005
【図５】
0006007443.tif 000006
【図６】
0006007443.tif 000007